(57)【要約】      （修正有）【課題】紙材搬送の重力リールホイール昇降装置を提供する。【解決手段】昇降装置の搬送台１の作業台面１１の２つの相対する外側にそれぞれ駆動部２の２つのシフトレバー２１を取り付け、２つのシフトレバーに複数の凸歯２１１を設け、一側にそれぞれ駆動ユニット２２を連設し、２つのシフトレバーを駆動し、作業台面の２つの外側で同期往復変位させ、作業台面の２つの相対する外側に所定間隔でそれぞれ相対する複数の昇降台を設置し、各昇降台内にそれぞれギアを設け、２つのシフトレバーの複数の凸歯と噛み合わせ、各第１ギア３２は、それぞれシャフト３１を貫通設置し、且つ各シャフト上に更にそれぞれ第２ギア３３を貫通設置し、各第２ギア一側の垂直方向に昇降ラック３４を噛み合わせ、縦方向の変位を呈し、即ち、２つの相対する昇降ラック間に重力リールホイール３６を取り付けて所定の紙材を押え、重力リールホイールに安定した昇降の目的を達成する。【選択図】図２
0003199297.tif 000002
【実用新案登録請求の範囲】
【請求項１】
搬送台、駆動部及び複数の昇降台を含み、
該搬送台は、所定の紙材を搬送させ、加工作業を行わせる作業台面を有し、
該駆動部は、搬送台の作業台面に２つの相対する外側に取り付けられ、作業台面の２つの相対する外側に延伸するシフトレバーを設け、２つのシフトレバー底部にそれぞれラックを形成する複数の凸歯を設け、２つのシフトレバーの一側にそれぞれ２つのシフトレバーを同期連動して作業台面の２つの外側で同期往復変位させる駆動ユニットを連設し、
該複数の昇降台は、所定間隔を呈し、それぞれ搬送台の作業台面の２つの相対する外側に間隔を置いて相対設置され、且つ各昇降台内部にそれぞれ２つのシフトレバーの複数の凸歯と噛み合う第１ギアを設け、各昇降台の第１ギアは、それぞれシャフトを設け、各シャフト上に更にそれぞれ第２ギアを貫通設置し、各第２ギア一側の垂直方向にそれぞれ縦方向に変位する昇降ラックを噛み合わせ、複数の２つの相対する昇降台の２つの相対する昇降ラックの間に所定紙材を押える重力リールホイールを取り付ける紙材搬送の重力リールホイール昇降装置。
【請求項２】
前記駆動部の２つのシフトレバー一側にそれぞれ駆動ユニットを連設し、且つ各駆動ユニットは、同期動作を呈する気圧シリンダ又は液圧シリンダである請求項１に記載の紙材搬送の重力リールホイール昇降装置。
【請求項３】
前記複数の昇降装置は、各昇降ラック外部に重力リールホイールを固定設置させる昇降カバーを設け、複数の昇降装置は、それぞれ２つが相対するように搬送台の作業台面の２つの外側に設置される請求項１に記載の紙材搬送の重力リールホイール昇降装置。
【考案の詳細な説明】
【技術分野】
【０００１】
本考案は、紙材搬送の重力リールホイール昇降装置を提供し、特に、重力リールホイールを作業台面上安定して昇降させることができる昇降装置であり、搬送台の作業台面の２つの外側に設ける駆動部を利用し、昇降台を同期駆動して重力リールホイールの昇降を連動し、重力リールホイールを精確に駆動して所定の紙材を押える目的を達成する紙材搬送の重力リールホイール昇降装置に関する。
【背景技術】
【０００２】
日常生活でしばしばショッピングギフト、自宅用買い物の状況で多くの物品、ギフト商品等が出荷販売される時、何れも箱、ギフトケース、手提げ籠又は手提げ袋等を利用して収納、包装し、購入者の持ち運びに便利し、且つ一般に箱、ケース、手提げ籠又は手提げ袋等の包装材料が用いられ、一部は、木材と釘からなる箱体又はケース状のもの、又は竹材を編み込んだ手提げ籠があり、物品を収納し、外部包装し、美観を良好にしているが、木材、竹材のコストは高く、質量が重く、木材は、ほとんどが釘で固定し、梱包作業が困難であるだけでなく、搬送時にも不便であり、使用者が分解する時に相当面倒である。
ある業者は、紙材の段ボール紙板を箱又はギフトケース等の材料として応用しており、コストを低減し、質量を軽くし、粘着剤、ホットグルー又はテープ等で固定することができ、箱の成型に便利であり、作業時間を節減し、段ボール紙板からなる箱又はギフトケース等が物品を包装した後、物品を保護し、衝撃の傷害又は損壊の確率を減少し、運搬又は保管の作業に便利であり、段ボール紙板の使用量を大幅に上昇させている。
また、幾つか紙材は、一定の厚さを有する必要があり、異なる用途の手提げ袋、紙皿に応用され、従って、紙材製造加工過程は、紙材の厚さを増加させるためにラミネート接着を経る必要がある。
【０００３】
段ボール紙又は一般の紙材等が箱、ギフトケース又は手提げ袋等に成型されて材料を包装する前、多くの工程、過程を経る必要があり、例えば、紙受け、予熱、成型、糊付け、冷却、クリンピング、辺補正、切断及び堆積等のプロセスを経て、連続した加工作業を行い、紙材の余熱の過程では、予熱機上の加熱器によって紙材を乾燥させ、積層状の紙材間の接着剤を溶解し、且つ紙材を１つに接着させ、各種加工作業工程の間では、紙材は、連続伝送、運送のプロセスを必要とし、紙材を各加工作業のプロセス作業ステーションエリアに搬送し、但し、紙材の搬送過程で温度、湿度の影響により、紙材にバリ、反り、歪み等の変形状況を発生させ、紙材の加工作業を中断し、変形した紙材を原状に復帰させるか、切除した後に初めて各種加工作業を行うことができる。
従って、紙材の搬送過程で重力リールホイールの適時の押圧によって紙材に平坦を保持させ、バリ又は反り等の現象発生し難くする必要があり、現在の重力リールホイールを駆動して昇降を行う機構は、何れもモータを利用してシャフトを駆動し、シャフトによって複数のギアボックス中のギア組の回転を連動させ、ギア組の回転によって搬送ベルトの二側に相対設置するポールを昇降させ、重力リールホイールの昇降を連動することができるが、複数の相対するポールの間の重力リールホイールによって下降する時搬送ベルト上の紙材を押え、紙材と一定距離離れた後に重量リールホイールの押えを受けさせ、紙材に平坦を保持させ、バリ等の現象を容易に発生させず、紙材を円滑に搬送して各種加工作業を行うことができる。
【０００４】
しかしながら、螺子によって複数のギアボックス中のギア組を駆動し、各ギアボックス中のギア組によりそれぞれ各ポールを連動し、昇降動作を行い、螺子は、軸方向の回転を呈し、その回転行程は、本来制御し難いものであり、螺子とギア組の間のかみ合わせに発生するギャップの影響を受けて、螺子とギア組の間の噛み合わせに誤差を発生させ易く、ギア組が駆動するポールの昇降の距離を制御することが困難になり、重力リールホイールの昇降が不確実になり易く、調整し難くなり、重力リールホイールの搬送ベルト表面が過度に近く又は過度に遠くなる可能性があり、重力リールホイールが搬送ベルト表面上の紙材を押える硬化が理想的でなくなり、紙材を平坦に抑えることができないか、紙竿を安定して抑えることができなくなり、紙材が適当な押えを受けられず、バリ、反り又は歪み等の状況を発生し、紙材を搬送する過程に実際に応用する時、依然として多くの困難があり、改善の余地がある。
【０００５】
従って、紙材が搬送過程で重力リールホイールの押えが不確実になることによって、紙材にバリ等の状況を発し得し易い欠陥及び問題を如何に解決し、螺子とギア組の間の動作によっても、ギャップにより変位行程の誤差を発生し易く、精確に重力リールホイールの昇降距離を駆動し難い面倒及び困難を如何に改善するかは、当業者が改善の方向を欲するところである。
【先行技術文献】
【特許文献】
【０００６】
【特許文献１】特開２０１５−８９６３２号公報
【考案の概要】
【考案が解決しようとする課題】
【０００７】
故に、考案者は、上記の問題及び欠陥に鑑み、関連データを収集し、多くの評価及び考慮を経るとともに、本業界に従事した長年の経験によって、絶えず試作及び修正を行い、ようやくこの種の紙材搬送過程において、駆動部が昇降台を精確に駆動して重力リールホイールの昇降を連動し、紙材表面に安定して押え、紙材の搬送過程でバリ、反り等の状況の発生を回避する紙材搬送の重力リールホイール装置の実用新案を誕生させている。
【０００８】
本考案の目的は、該昇降装置の搬送台の作業台面の２つの相対する外側にそれぞれ駆動部の２つのシフトレバーを取り付け、２つのシフトレバー複数の凸歯を設け、一側にそれぞれ駆動ユニットを連設し、２つのシフトレバーを駆動し、作業台面の２つの外側で同期往復変位させ、作業台面の２つの相対する外側に所定間隔でそれぞれ相対する複数の昇降台を設置し、各昇降台内にそれぞれギアを設け、２つのシフトレバーの複数の凸歯と噛み合わせ、各第１ギアは、それぞれシャフトを貫通設置し、且つ各シャフト上に更にそれぞれ第２ギアを貫通設置し、各第２ギア一側の垂直方向に昇降ラックを噛み合わせ、縦方向の変位を呈し、即ち、２つの相対する昇降ラック間に重力リールホイールを取り付けて所定の紙材を押え、重力リールホイールに安定した昇降の目的を達成させ、作業台面上の所定紙材表面に精確に押え、所定の紙材にバリ、反り等の現象を発生することを回避することにある。
【０００９】
本考案のもう１つの目的は、該搬送台の作業台面の二側に駆動部のシフトレバーを設置し、各シフトレバーの一側にそれぞれ駆動ユニットを連設し、各駆動ユニットが気圧シリンダ又は液圧シリンダであることができ、各駆動ユニットによってそれぞれ２つのシフトレバーを同期駆動し、作業台面の二側で同期した往復変位を行わせ、各シフトレバーがそれぞれ作業台面の二側の相対する各諸侯台内部の第１ギアと噛み合い、各第１ギアによって同軸上の第２ギアの同期回転を連動し、各第２ギアに一側垂直方向の昇降ラックを駆動して縦方向の変位を呈し、２つの相対する昇降ラックの間に位置する重力リールホイールを作業台面上で精確に昇降させ、シフトレバー及び第１ギア、第２ギアと昇降ラックとの噛み合わせによって、駆動過程で発生するギャップが招く行程誤差を減少し、重力リールホイールの変位を安定駆動し、作業台面上の所定の紙材を押えることにある。
【課題を解決するための手段】
【００１０】
本考案の紙材搬送の重力リールホイール昇降装置は、搬送台、駆動部及び複数の昇降台を含み、該搬送台は、所定の紙材を搬送させ、加工作業を行わせる作業台面を有し、該駆動部は、搬送台の作業台面に２つの相対する外側に取り付けられ、作業台面の２つの相対する外側に延伸するシフトレバーを設け、２つのシフトレバー底部にそれぞれラックを形成する複数の凸歯を設け、２つのシフトレバーの一側にそれぞれ２つのシフトレバーを同期連動して作業台面の２つの外側で同期往復変位させる駆動ユニットを連設し、該複数の昇降台は、所定間隔を呈し、それぞれ搬送台の作業台面の２つの相対する外側に間隔を置いて相対設置され、且つ各昇降台内部にそれぞれ２つのシフトレバーの複数の凸歯と噛み合う第１ギアを設け、各昇降台の第１ギアは、それぞれシャフトを設け、各シャフト上に更にそれぞれ第２ギアを貫通設置し、各第２ギア一側の垂直方向にそれぞれ縦方向に変位する昇降ラックを噛み合わせ、複数の２つの相対する昇降台の２つの相対する昇降ラックの間に所定紙材を押える重力リールホイールを取り付ける紙材搬送の重力リールホイール昇降装置。
【考案の効果】
【００１１】
本考案の紙材搬送の重力リールホイール昇降装置は、該昇降装置の搬送台の作業台面の２つの相対する外側にそれぞれ駆動部の２つのシフトレバーを取り付け、２つのシフトレバー複数の凸歯を設け、一側にそれぞれ駆動ユニットを連設し、２つのシフトレバーを駆動し、作業台面の２つの外側で同期往復変位させ、作業台面の２つの相対する外側に所定間隔でそれぞれ相対する複数の昇降台を設置し、各昇降台内にそれぞれギアを設け、２つのシフトレバーの複数の凸歯と噛み合わせ、各第１ギアは、それぞれシャフトを貫通設置し、且つ各シャフト上に更にそれぞれ第２ギアを貫通設置し、各第２ギア一側の垂直方向に昇降ラックを噛み合わせ、縦方向の変位を呈し、即ち、２つの相対する昇降ラック間に重力リールホイールを取り付けて所定の紙材を押え、重力リールホイールに安定した昇降の目的を達成する。
【図面の簡単な説明】
【００１２】
【図１】本考案の立体外観図である。
【図２】本考案の局部側面図である。
【図３】本考案の昇降台側面断面図である。
【図４】本考案の好適実施例の側面図である。
【考案を実施するための形態】
【００１３】
上記目的及び効果を達成する為に本考案が採用する技術手段及びその構造、実施方法等について、図面に合わせた本考案の好適実施例を挙げ、その構造及び機能を詳細に説明する。
【００１４】
図１、図２、図３、図４を参照して説明するが、それは、本考案の立体外観図、局部側面図、昇降台側面断面図、好適実施例の側面図であり、図から分かるように、本考案の重力リールホイール昇降装置は、搬送台１、駆動部２及び複数の昇降台３を含む。
【００１５】
該搬送台１表面に作業台面１１を設け、作業台面１１によって所定の紙材の伝送を行うことができる。
【００１６】
該駆動部２は、２つの相対するシフトレバー２１を有し、且つ２つのシフトレバー２１底部分にそれぞれ複数の凸歯２１１を設け、２つのシフトレバー２１にラックを呈し、２つのシフトレバー２１の一側に駆動ユニット２２を連接する。
【００１７】
該複数の昇降台３内部に中空の収容空間３０を有し、各昇降台３の収容空間３０内に活動式シャフト３１を取り付け、各シャフト３１上に２つの隣り合う第１ギア３２、第２ギア３３をそれぞれ取り付け、且つ第１ギア３２付近の各収容空間３０の二側壁面にそれじれスロット３０１を設けて外部まで貫通させ、各第２ギア３３の垂直側辺にそれぞれ縦方向に延伸する昇降ラック３４を噛み合わせ、各昇降ラック３４をそれぞれ各昇降台３外部に貫通させ、各昇降ラック３４外部に昇降カバー３５を被せ覆い、且つ各昇降カバー３５に各昇降ラック３４に沿って各昇降台３上で縦方向の昇降変位を行わせ、２つの相対する昇降ラック３４外部の昇降カバー３５の間にそれぞれ重力リールホイール３６を取り付ける。
【００１８】
上記各構成部材の組み立て時、搬送台１の作業台面１１上に所定の紙材を搬送させることができ、且つ作業台面１１の２つの相対する外側にそれぞれ駆動部２の２つのシフトレバー２１を取り付け、即ち、各シフトレバー２１一側の駆動ユニット２２を利用し、各シフトレバー２１をそれぞれ同期駆動し、作業台面１１の２つの外側で同期した往復変位を行うことができ、２つのシフトレバー２１にそれぞれ各昇降台３のスロット３０１を通過させ、２つのシフトレバー２１底部の凸歯２１１を利用し、それぞれ各昇降台３内部の第１ギア３２を噛み合わせ、各昇降台３は、相対方式を呈する２つの作業台面１１の二側に隣り合って所定距離を空けた位置に設置し、即ち、各２つの相対する昇降台３の重力リールホイール３６を作業台面１１上方に位置させることができ、搬送台１、駆動部２及び複数の昇降台３等により本考案の重力リールホイール昇降装置を構成する。
【００１９】
上記駆動部２は、２つのシフトレバー２１の一側にそれぞれ駆動ユニット２２を取り付け、各駆動ユニット２２は、気圧シリンダ又は液圧シリンダ等であることができ、２つのシフトレバー２１を同期駆動し、搬送台１の作業台面１１の２つの側辺において水平横方向の往復式変位を行い、作用台面１１の２つの外側に適当な距離［１ｍ、１．５ｍ、２ｍ、３ｍ、５ｍ又は１０ｍ等、各種所定の隣り合う間隔距離］をおいた位置にそれぞれ２つの相対する昇降台３を設置し、２つの隣り合う昇降台３の間の複数の重力リールホイール３６をそれぞれ作業台面１１上方に横向きに設置させる。
【００２０】
搬送台１の作業台面１１（搬送ベルト又は搬送ステージ等であることができる）上で所定の紙材の搬送を行う時、駆動部２の各駆動ユニット２２は、それぞれ２つのシフトレバー２１を同期駆動し、作業台面１１の２つの外側で同期往復変位を行うことができ、２つのシフトレバー２１を利用して各昇降台３内部の収容空間３０中の第１ギア３２の回転を同期駆動し、各第１ギア３２は、シャフト３１を連動し、第２ギア３３の回転を駆動し、各第２ギア３３は、それぞれ一側辺の垂直方向に連設した昇降ラック３４を連動し、作業台面１１の２つの外側で縦方向の昇降変位を行う。
各昇降ラック３４は、各昇降カバー３５及び２つの相対する昇降カバー３５の間に連設する重力リールホイール３６を連動し、縦方向の変位を行うことができ、複数の２つの相対する昇降台３の重力リールホイール３６を作業台面１１で搬送する所定紙材表面上を押えるまで下降することができ、各重力リールホイール３６を介して作業台面１１上を搬送する所定紙材に対してローリングを行い、所定紙材を作業台面１１上に搬送させる時に平坦な表面を保持し、所定紙材が各種異なる加工処理、例えば、紙受け、予熱、成型、糊付け、冷却、クリンピング、辺補正、切断及び堆積等のプロセスへ進行でき、所定紙材を所要の材料に形成し、箱、ギフトケース又は手提げ袋等、各種応用モードに成型することができる。
【００２１】
駆動部２は、それぞれ気圧シリンダ又は液圧シリンダ等の形式の駆動ユニット２２を介して、それぞれ２つのシフトレバー２１を久俊、作業台面１１の２つの外側で同期往復変位させ、２つのシフトレバー２１の横方向の変位の距離を精確に制御することができ、各昇降台３の収容空間３０内の第１ギア３２、シャフト３１及び第２シャフト３３の同期回転を連動し、各第２ギア３３によって垂直側辺の昇降ギア３４を連動し、縦方向の昇降変位を行わせ、各昇降ラック３４外部の昇降カバー３５間の重力リールホイール３６の作業台面１１上の昇降距離を有効に制御することができ、各重力リールホイール３６が作業台面１１に接近し過ぎるか、作業台面１１から離れすぎ、作業台面１１上を搬送する所定紙材に対して有効な平坦調整、ローリングの工程を行うことができなくなることを回避する。
【００２２】
従って、上記は、ただ本考案の好適実施例というだけであり、本考案の保護範囲を制限するものではなく、本考案の紙搬送の重力リールホイール昇降装置は、搬送台１の作業台面１１の２つの外側にそれぞれ駆動部の２つのシフトレバー２１を取り付け、２つのシフトレバー２１一側に連設する駆動ユニット２２によって、２つのシフトレバー２１を同期駆動し、作業台面１１の二側で往復変位させ、各昇降台３内部の収容空間３０に取り付けた第１ギア３２を同期連動し、各第１ギア３２によりそれぞれシャフト３１、第２ギア３３の回転を連動し、各第２ギア３３により垂直側辺の昇降ラック３４を連動し、２つの相対する昇降ラック３４外部の昇降カバー３５間に取り付けた重力リールホイール３６を作業台面１１上で昇降変位させ、各重力リールホイール３６の作業台面１１上の昇降を精確に駆動する。
作業台面１１上を搬送する所定紙材を押える目的を達成することができ、且つ作業台面１１上を搬送する所定紙材に所定距離に設置した重力リールホイール３６のローリングを受けさせ、所定紙材表面を平坦に保持し、バリ、反り又は歪み等を発生し難い機能を有することができ、駆動部２の２つのシフトレバー２１が横方向に変位する距離、連動する昇降台３の重力リールホイール３６の縦方向に昇降する距離を制御することができ、故に前記効果達成することができる構造、装置は、何れも本考案に含まれるべきであり、この種の簡易な修飾及び等価構造の変化は、何れも同様に本考案の保護範囲内に含まれるべきである。
【００２３】
故に、本考案は、紙材搬送の重力リールホイール昇降蔵置に対して設計を行い、搬送台の作業台面の二側にそれぞれ取り付ける駆動部の２つのシフトレバーを利用し、２つのシフトレバーは、それぞれ一側に接続する駆動ユニットの同期駆動を受け、複数の昇降台内部の収容空間中の第１ギアを同期連動し、各第１ギア、シャフト及び第２ギアによって、各第２ギアの垂直側辺に位置する昇降ラックを連動し、各昇降ラック外部の昇降カバー上に設ける昇降リールホイールを作業台面上で昇降変位させ、各重力リールホイールの作業台面上の昇降距離の精確な駆動を達成し、作業台面上で搬送される所定紙材を押えることを主な保護の要点とし、作業台面上で搬送される所定紙材に平坦を保持させ、所定紙材を搬送過程でバリ、反り又は歪み等の状況を発生させ難いという利点を有すれば、所定紙材に平坦表面を保持させ、各加工工程行うことに有利にするという目的を達成することができ、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【００２４】
上記のように、本考案は、上記紙材搬送する重力リールホイール昇降装置の実際の実行、実施時、その効果及び目的を確実に達成することができ、故に本考案は、実用性に優れた開発となっている。
【符号の説明】
【００２５】
１  搬送台
１１  作業台面
２  駆動部
２１  シフトレバー
２１１  凸歯
２２  駆動ユニット
３  昇降台
３０  収容空間
３０１  スロット
３１  シャフト
３２  第１ギア
３３  第２ギア
３４  昇降ラック
３５  昇降カバー
３６  重力リールホイール
【図１】
0003199297.tif 000003
【図２】
0003199297.tif 000004
【図３】
0003199297.tif 000005
【図４】
0003199297.tif 000006